(57)【特許請求の範囲】
【請求項１】
自然換気によって屋外から床下空間を通じて１階と２階の居室空間に空気を給気するための共通の給気風路と、
１階および２階の居室空間に前記共通の給気風路を通じて屋外の空気をそれぞれ機械換気と自然換気できる同一の構成の給気装置と、
給気した空気を前記１階と２階の居室空間からそれぞれ排出する通気口と、
前記通気口を通じて空気を屋外へ排出する排出口を設け、
前記給気装置は、
ファンと、
ファンを駆動するモーターと、
屋内外の温度を測定する二つの温度センサーと、
屋内外の温度差に応じて機械換気と自然換気のどちらか一方の運転状態を選択し、この運転状態を出力する状態出力部と、
前記運転状態を入力する信号入力部と、
前記状態出力部の信号を前記信号入力部に伝達する接続部と、
前記信号入力部の信号を運転指令として給気装置による機械換気と自然換気を切り替える制御部とを備え、
前記給気装置のうち第１の給気装置における前記接続部である第１の接続部と、同第２の給気装置における前記接続部である第２の接続部を接続できる構成として、
前記第１の給気装置における運転状態である第１の運転状態と第２の給気装置における運転状態である第２の運転状態が異なる運転状態である場合に、前記第１の接続部と第２の接続部は、自然換気に対して機械換気を優先にして運転指令を前記信号入力部へ伝達させる換気システム。
【請求項２】
第１の接続部と第２の接続部は、
他方の給気装置と高インピーダンス状態と低インピーダンス状態とを切り替える接続状態を備え、
運転状態のうち優先させる運転状態が状態出力部から出力されたときに前記接続状態を低インピーダンス状態へ切り替える請求項１記載の換気システム。
【請求項３】
換気システムに設けられたそれぞれの状態出力部の電源はフローティングにて構成される請求項１記載の換気システム。
【発明の詳細な説明】
【技術分野】
【０００１】
本発明は、建屋の室内外の温度差を利用した温度差換気により機械換気と自然換気とを切替えて有効換気量を確保して常時換気を行う換気装置および換気システムに関わるものである。
【背景技術】
【０００２】
従来から建屋の室内外の温度差を利用した温度差換気が知られており、常時換気に際して室内外の温度差を利用して、機械換気から自然換気に切替えることにより、換気機器に供給される電力を低減する方法が知られており、各居室に設けられた換気機器は、制御部の切替判別手段の判別結果によって動作して、機械換気から自然換気に切替えて常時換気を実現している（例えば、特許文献１参照）。
【０００３】
以下、特許文献１記載の換気装置について説明する。
【０００４】
このような換気装置は屋外から床下空間１０１に空気を導入する給気装置１０２を備え、前記床下空間１０１を介して室内空間１０３の換気をおこない排出口１０４から空気を排出する建物換気構造であって、室内温度と前記屋外温度の値により、冬期モードと夏期モードの運転モードを決定し、前記冬期モードは前記給気装置１０２を停止し、前記夏期モードは前記給気装置１０２を運転することを特徴とする建物換気構造であった。
【先行技術文献】
【特許文献】
【０００５】
【特許文献１】特開２００４−２９３８６３号公報
【発明の概要】
【発明が解決しようとする課題】
【０００６】
このような従来の換気装置は、屋外から床下空間を通じて空気を導入する一つの給気装置を備え、床下から給気した空気は室内空間に設けられた各通気口を通じて空気の流れが形成され、天井裏空間より屋外へと排出される。また、屋内外の温度差によって機械換気と自然換気とを切り替えて建物を換気する構成となっており、温度差が所定値以上ある場合には、機器を停止しても自然な空気の流れで換気量を確保できるため省エネ換気を行うことができる換気装置であった。
【０００７】
しかしながら、このような換気装置では、給気装置が一つしかないために建物内の各居室空間、例えば１階と２階の居室空間とでは、同じように屋外の空気を給気して換気を行うことができなかった。このような課題を解決するためには、各階ごとまたは居室空間ごとに床下からの空気を給気する給気装置を設けてそれぞれで給気を行うことが考えられる。その場合には、例えば１階と２階に床下からの空気を給気しようとすると施工性とコストを考えた場合に、共通のダクト配管で行う方法すなわち、床下から延設した共通の配管を通じて１階と２階にそれぞれ給気装置を設けて換気を行う方法が好ましい構成となる。
【０００８】
そこで、それぞれの給気装置に上記のような屋内外の温度差によって機械換気か自然換気かに切り替える同一の換気装置を使用すると、設置される居室空間によって室内温度は若干異なるため、屋内外の温度差に若干のずれが生じることになった。
【０００９】
すなわち、温度差のバラつきによって一つの給気装置が機械換気、もう一方の給気装置が自然換気の運転状態になることがある。共通のダクト配管で二つの給気装置は通じているため、一つが機械換気を行っていると、もう一方の自然換気を行っている部屋から共通のダクト配管を通じて機械換気を行っている部屋へ空気の流れができてしまい、自然換気を行っている部屋に床下からの空気を十分に給気することができなくなる。前記ダクトは建屋の壁の中に設置されるため直径は小さいものが使用されることから、上記のような現象が発生しやすく、意図した換気量や空気の流れを確保できないという課題が生じることがわかった。
【００１０】
そこで本発明は、上記の課題を解決するものであり、床下から共通のダクト配管を通じて同じ建屋内の別の居室空間に２つ以上設置した場合にも、共通の給気風路から安定した換気ができる換気システムを提供する。
【課題を解決するための手段】
【００１１】
そしてこの目的を達成するために、本発明は、自然換気によって屋外から床下空間を通じて１階と２階の居室空間に空気を給気するための共通の給気風路と、１階および２階の居室空間に前記共通の給気風路を通じて屋外の空気をそれぞれ機械換気と自然換気できる同一の構成の給気装置と、給気した空気を前記１階と２階の居室空間からそれぞれ排出する通気口と、前記通気口を通じて空気を屋外へ排出する排出口を設け、前記給気装置は、ファンと、ファンを駆動するモーターと、屋内外の温度を測定する二つの温度センサーと、屋内外の温度差に応じて機械換気と自然換気のどちらか一方の運転状態を選択し、この運転状態を出力する状態出力部と、前記運転状態を入力する信号入力部と、前記状態出力部の信号を前記信号入力部に伝達する接続部と、前記信号入力部の信号を運転指令として給気装置による機械換気と自然換気を切り替える制御部とを備え、前記給気装置のうち第１の給気装置における前記接続部である第１の接続部と、同第２の給気装置における前記接続部である第２の接続部を接続できる構成として、前記第１の給気装置における運転状態である第１の運転状態と第２の給気装置における運転状態である第２の運転状態が異なる運転状態である場合に、前記第１の接続部と第２の接続部は、自然換気に対して機械換気を優先にして運転指令を前記信号入力部へ伝達させる換気システムであり、これにより所望の目的を達成するものである。
【発明の効果】
【００１２】
本発明によれば、屋外の空気を床下空間を通じて建屋内に給気する給気装置を備え、床下から給気した空気を各居室の通気口を通じ建屋内の上部にある排気口から屋外に排気して建屋内の換気を行う前記給気装置は、床下から共通のダクト配管を通じて同じ建屋内の１階および２階の居室空間に２つ以上設置された場合に、機械換気と自然換気の運転状態が混在しないように給気装置の運転条件信号を接続手段にて一つの信号とすることで接続された二つの給気装置を機械換気もしくは自然換気のどちらかの動作にさせることができ、換気量のバランスが乱れることなく、省エネ換気を行うことができるという効果を有する。
【図面の簡単な説明】
【００１３】
【図１】本発明の実施の形態１の換気システムのブロック図
【図２】本発明の実施の形態１の給気装置のブロック図
【図３】本発明の実施の形態１の接続手段を記載したブロック図
【図４】本発明の実施の形態１の接続手段の詳細を記載したブロック図
【図５】本発明の実施の形態１の換気装置の動作フローを記載したフローチャート
【図６】従来の換気装置の図
【発明を実施するための形態】
【００１４】
本発明請求項１の換気システムは、自然換気によって屋外から床下空間を通じて１階と２階の居室空間に空気を給気するための共通の給気風路と、１階および２階の居室空間に前記共通の給気風路を通じて屋外の空気をそれぞれ機械換気と自然換気できる同一の構成の給気装置と給気した空気を前記１階と２階の居室空間からそれぞれ排出する通気口と、前記通気口を通じて空気を屋外へ排出する排出口を設け、前記給気装置は、ファンと、ファンを駆動するモーターと、屋内外の温度を測定する二つの温度センサーと、屋内外の温度差に応じて機械換気と自然換気のどちらか一方の運転状態を選択し、この運転状態を出力する状態出力部と、前記運転状態を入力する信号入力部と、前記状態出力部の信号を前記信号入力部に伝達する接続部と、前記信号入力部の信号を運転指令として給気装置による機械換気と自然換気を切り替える制御部とを備え、前記給気装置のうち第１の給気装置における前記接続部である第１の接続部と、同第２の給気装置における前記接続部である第２の接続部を接続できる構成として、前記第１の給気装置における運転状態である第１の運転状態と第２の給気装置における運転状態である第２の運転状態が異なる運転状態である場合に、前記第１の接続部と第２の接続部は、自然換気に対して機械換気を優先にして運転指令を前記信号入力部へ伝達させる構成を備えたものである。
【００１５】
これにより、屋外の空気は、共通の給気風路から  第１、第２の給気装置によって、１階と２階の居室空間に給気されることとなる。このとき、それぞれの給気装置の状態出力部は、居室空間の屋内外の気温差に応じて機械換気と自然換気のどちらか一方の運転状態を選択し、状態出力部の運転状態を接続部に伝達する。制御部は、接続部による運転指令を信号入力部からの読み込み運転を切り替えることとなる。このとき第１の給気装置と、第２の給気装置はそれぞれ居室空間の運転状態が異なっていても接続部の作用によって機械換気を優先にして伝達され第１の給気装置と第２の給気装置はともに機械換気を行うこととなり、共通の給気風路から安定して給気をおこなうことができる。
【００１６】
また、請求項２の換気システムは、第１の接続部と第２の接続部は、他方の給気装置と高インピーダンス状態と低インピーダンス状態とを切り替える接続状態を備え、運転状態のうち優先させる運転状態が状態出力部から出力されたときに前記接続状態を低インピーダンス状態へ切り替えるものである。
【００１７】
これにより、第１の給気装置と第２の給気装置の状態出力部からの出力信号が異なっても接続部および第２の接続部は、低インピーダンス状態が高インピーダンス状態に対して優先されるので低インピーダンス状態となり、第１、第２の給気装置では信号入力部が低インピーダンス状態を読み取り、運転状態は、優先させる運転状態すなわち機械換気となり、第１、第２の給気装置の運転を行なうこととなるため、共通の給気風路から安定して給気をおこなうことができる。
【００１８】
また、請求項３の換気システムは、給気装置の接続部の電源はフローティングにて構成されるものである。
【００１９】
これにより、接続部の電源をフローティングにて構成することで第１の給気装置と第２の給気装置の接続部を一対の線で接続することができ、接続された給気装置の電源も共通で取れるため、それぞれの給気装置を接続部にて接続するには二本の通信線を接続することで実現することができる。以上のことから、それぞれの出力信号を接続部にて接続することで一つの信号にし、第１、第２の給気装置の各制御部に入力することによって回路の簡単化や通信線の削減を図り、簡単な回路構成で複雑な処理も行う必要もなく、第１、第２の給気装置の運転状態を連動させることができ、各居室のおける運転状態が異なっている場合でも、機械換気を優先にして動作させることができる。さらには、通信線が少ないことで施工性もよくすることができる。
【００２０】
（実施の形態１）
本発明の実施の形態１について図１を参照しながら説明する。
【００２１】
図１に示すように、住宅１には、１階と２階にそれぞれ居室空間２と居室空間３を備え、外気に開口した床下空間４から居室空間２と居室空間３へ空気を連通させる一本の共通の給気風路５を敷設し、居室空間２と居室空間３には、それぞれ共通の給気風路５から空気を吸い込む通気孔６、７と、それぞれ空気を最上階の天井８へ連通させることができるように配置した通気孔９、１０を備え、最上階の天井８には、通気孔９、１０を通過した空気が小屋裏１１へ連通できるように通気孔１２を備えている。小屋裏１１には、最上部つまり屋根の頂部に排気口１３を備える。
【００２２】
そして、１階の居室空間２には、床下空間４から共通の給気風路５、通気孔６、居室空間２、通気孔９、通気孔１２、小屋裏１１、排気口１３を通じて換気する通風路１４が形成される。
【００２３】
また、同様に２階の居室空間３には、床下空間４から共通の給気風路５、通気孔７、居室空間３、通気孔１０、通気孔１２、小屋裏１１、排気口１３を通じて換気する通風路１５が形成される。
【００２４】
そして、通気孔６、７には、共通の給気風路５から居室空間２、３に空気をそれぞれ引き込む換気装置として給気装置１６、１７を備えている。
【００２５】
給気装置１６、１７は、設置した居室空間と外気の温度差による空気の流れを妨げることなく流して、それぞれ居室空間２、３の自然換気ができるものであるが、内部に機械換気を行う送風部を備えている。そして、前記送風部は、図２に示すようにファン１８とファン１８を駆動するモーター１９備えている。
【００２６】
給気装置１６と給気装置１７は取り付けた居室空間が異なるだけで、その構成は同一であるので、以下、給気装置１６を中心に構成を説明する。
【００２７】
給気装置１６は、図２に示すように送風部としてファン１８とファン１８を駆動するモーター１９と、屋内の温度を検知する屋内温度センサー２０と、屋外の温度を検知する屋外温度センサー２１を備えている。
【００２８】
図１に示すように、屋内温度センサー２０は、給気装置１６の居室空間側の風路をよけた箇所、例えば前記給気装置１６の下側居室空間に取り付けられ、屋外温度センサ−２１は、給気装置１６から共通の給気風路５を通じて床下空間４に風の影響を受けないように例えばプラスチックのケース等の中にセンサーを入れて取り付けられている。
【００２９】
また、屋内温度センサー２０と屋外温度センサー２１の検知温度から機械換気と自然換気のどちらか一方の運転状態を選択する判断手段２２を備え、前記運転状態を電気信号にして出力する状態出力部２３を備えている。
【００３０】
また、図２に示すように給気装置１６の運転指令を入力する信号入力部２５と、前記状態出力部２３の運転状態を信号入力部２５に運転指令として伝達する接続部２４と、前記信号入力部２５の信号を運転指令として給気装置による機械換気と自然換気の一方に切り替える制御部２６とを備える。
【００３１】
また、図４に示すように接続部２４は、フローティングにて電源を構成作成するもので、そうすることで接続された給気装置１６および給気装置１７のＧＮＤを接続して基準電位を共通とすることが可能になり、接続部２４には、給気装置１７の状態出力部２７から運転状態が伝達される接続部２８が接続できる構成としている。
【００３２】
そして、接続部２４は、給気装置１７の接続部２８と接続した状態においては、状態出力部２３と状態出力部２７の運転状態のうち機械換気を優先にして運転信号を前記信号入力部２５へ伝達する構成を備えたものである。また、接続部２８も給気装置１６の接続部２４と接続した状態においては、状態出力部２３と状態出力部２７の運転状態のうち機械換気を優先にして運転指令を給気装置１７の信号入力部２９へ伝達する構成を備えたものである。
【００３３】
すなわち、接続部２４と接続部２８は、どちらも状態出力部２３と状態出力部２７の出力信号によって高インピーダンス状態と低インピーダンス状態とを切り替える構成を有し、給気装置１７の接続部２８または給気装置１６の接続部２４と接続が可能な構成としたものである。
【００３４】
さて、高インピーダンス状態と低インピーダンス状態とを切り替える構成とは、状態出力部２３をオープンコレクタ構造またはオープンドレイン構造の出力を有する反転増幅回路の入力端子３０に接続し、出力端子３１は、信号入力部２５に接続するとともに、他の給気装置１７の接続部２８に接続するものである。
【００３５】
例えば、図３に示すように、状態出力部２３は、ｎｐｎトランジスタ３２のベースに入力する。入力された信号によってｎｐｎトランジスタ３２のコレクタ−エミッタ間がＯＮ、ＯＦＦし、コレクタ側を出力とし、プルアップ抵抗３３を介してＨＩＧＨレベルに、エミッタ側をＧＮＤレベルに接地する一般的なエミッタ接地回路の構成とする。出力側の回路には、電流をそれほど流す必要はないので消費電力を低くするためにプルアップ抵抗３３の抵抗値は高いものが良く、例えば１０ｋΩとする。したがって、ｎｐｎトランジスタ３２がＯＦＦ状態では出力側つまり出力端子３１を高インピーダンス状態にすることができる。また、ｎｐｎトランジスタ３２をＯＮさせると出力端子３１を低インピーダンス状態にすることができる。
【００３６】
そして、図４に示すように給気装置１６と同様の構成を備えた他の給気装置１７の接続部２８の出力端子３４を接続したときに低インピーダンス状態を優先にする構成を実現するものである。この低インピーダンス状態を機械換気とすると機械換気の運転状態を優先とすることができる。
【００３７】
また、判断手段２２は閾値温度Ｔを記憶しており、例えば屋内温度と屋外温度の温度差Ｔａが閾値温度Ｔ例えば１０℃を超えている場合には、運転条件は自然換気であると判断するものであり、Ｔａが閾値温度Ｔ以下の場合には、運転条件は機械換気であると判断するものである。
【００３８】
上記構成において、本実施の形態の換気システムの動作を図５のフローチャートを用いて説明する。
【００３９】
まず、図５のなかで一つの給気装置１６についての動作説明を行う。
【００４０】
給気装置１６が通電状態にある場合に、屋内温度センサー２０と屋外温度センサー２１によって温度が検知される。検知された温度から判断手段２２によって屋内温度と屋外温度の差Ｔａと予め判断手段２２に記憶してある閾値温度Ｔとを比較する。
【００４１】
一般的に空気は温度の低いところから高いところへ流れ、温度差が大きい程流れる空気の量も多くなることが知られていることから、屋内外の温度差があり、例えば温度差Ｔａが閾値温度Ｔ（１０℃）を超えている場合は、外気がある床下空間４から給気風路５を通じて居室空間２に空気が送られることになる。そして、居室空間２に送られた空気は通気孔９、１２を連通し排気口１３から外に排出されるという空気の流れが容易に形成されることになるため、自然換気を行った場合でも意図した換気量が確保できると判断できるため給気装置１６は自然換気運転を行う。また、温度差Ｔａが閾値温度Ｔ（１０℃）を超えていない場合は、屋内外の温度差がなく、床下空間４からの空気によっての居室空間２における意図した換気量を確保できないと判断手段２２で判断するため、給気装置１６は機械換気運転とし、ファンを回転させ床下空間４から給気風路５を通じて居室空間２に空気を強制的に送ることで換気量を確保することができる。自然換気と機械換気を屋内外の温度差によって切り替えて運転することで、自然換気の場合でも意図した換気量が確保できる場合には、給気装置１６の消費電力を削減することができ、冬季では過換気による冷風感をなくすことができる快適で省エネルギーな換気扇を得ることができる。
【００４２】
次に給気装置１６と同一の給気装置１７を給気風路５を通じて１階の居室空間２と２階の居室空間３に設置してそれぞれの居室空間を換気する場合の動作について説明する。二つの給気装置がそれぞれ自然換気運転、もしくは機械換気運転の同じ動作状態である場合は、上記で説明したように二つが同時に動作した場合にはそれぞれの居室空間において意図した換気量を確保できるため住宅全体が適切に換気できる状態になる。しかし、同一の給気装置を１階及び２階に設置しているために、それぞれで温度差Ｔａを検知して動作することになり、各居室空間における温度差Ｔａは１階と２階とでは、少なからず相違が出るため、例えば給気装置１７における温度差Ｔａが閾値温度Ｔを超えておらず機械換気運転を行っている場合と、給気装置１６における温度差Ｔａが閾値温度Ｔを超えて自然換気運転を行っている場合が混在することになる。その場合、給気装置１７はファンが回転して強制的に居室空間３に空気を送りこんでいるが給気装置１６は、自然換気運転なのでファンは停止していることになり、共通の給気風路５を通じて床下空間４から空気を取り込み、給気装置１６から居室空間２へは、温度差による空気の流れで換気を実現する。しかし、給気装置１７が機械運転をし、ファンが回転していると、床下空間４から居室空間２への空気の流れが給気装置１７の運転によって引っ張られ、居室空間２における意図した換気量を確保できなくなることがあり、住宅１の換気がうまく確保できない状態となってしまう。
【００４３】
なお、給気装置１６と給気装置１７の温度差Ｔａが逆の状態で自然換気と機械換気が逆の動作の場合でも上記のように空気の流れがアンバランスとなり住宅１の換気がうまく確保できなくなる。
【００４４】
そこで、本実施の形態の換気システムの動作を以下に説明する。
【００４５】
すなわち、給気装置１６と給気装置１７の接続部２４と接続部２８を接続した場合の動作について説明する。
【００４６】
まず、屋内外の温度差Ｔａが１階の居室空間２及び２階の居室空間３のどちらにおいても閾値温度Ｔを下回っている場合、例えば屋内外の温度差Ｔａが１０℃を下回っている場合の動作について説明する。給気装置１６は、設置されている屋内温度センサー２０、屋外温度センサー２１の結果から判断手段２２は、運転条件を機械換気と判断し、前記判断手段によって判断された運転状態を状態出力部２３から電気信号として例えば機械換気信号をＨＩＧＨ信号として出力する。そうするとｎｐｎトランジスタ３２のベースに電流が流れ、コレクタ−エミッタ間はＯＮすることになる。これによってコレクタ側の出力は、ＧＮＤに接続されるため、低インピーダンス状態となる。上記の動作は、給気装置１７でも同様な状態となっており、接続部２４および接続部２８は低インピーダンス状態となる。ここで接続部２４および接続部２８を接続した場合には、出力端子３１および出力端子３４は両方とも低インピーダンスであるためそれぞれの信号入力部２５、および信号入力部２９にはＬＯＷ信号が入力されることになる。制御部２６において例えば信号入力部２５から入力された信号がＬＯＷ信号の場合に機械換気の動作となるように対応させておけば、給気装置１６と給気装置１７は、屋内外の温度差Ｔａが閾値温度Ｔを下回っている場合に接続部２４および接続部２８が接続された状態であっても問題なく機械換気の運転状態とすることができる。ここで接続部２４と接続部２８が図４のように接続できるのは、電源がフローティングにて作成されているためにそれぞれのＧＮＤを接続して共通にできるからであり、２本の配線で給気装置１６および給気装置１７を接続して動作させることができるので、通信線の削減や複雑な回路および複雑なプログラムをすることなくでき、コスト削減を図ることができる。
【００４７】
次に、それぞれの製品が設置された居室空間のわずかな温度差や温度センサーのバラつき等で、例えば前記給気装置１６で検知された屋内外の温度差Ｔａが閾値温度Ｔを下回っている場合と前記給気装置１７で検知された屋内外の温度差Ｔａが閾値温度Ｔを上回っている場合が混在した時の動作について説明する。給気装置１６は、設置されている屋内温度センサー２０、屋外温度センサー２１の結果から判断手段２２は、運転条件を機械換気と判断し、前記判断手段によって判断された運転状態を状態出力部２３から電気信号としてＨＩＧＨ信号として出力する。そうするとｎｐｎトランジスタ３２のベースに電流が流れ、コレクタ−エミッタ間はＯＮすることになる。これによってコレクタ側の出力は、ＧＮＤに接続されるため、低インピーダンス状態となる。一方、給気装置１７は、運転条件を自然換気と判断し、状態出力部２７からは電気信号として自然換気信号をＬＯＷ信号として出力する。そうするとｎｐｎトランジスタ３２のベースに電流が流れないため、コレクタ−エミッタ間はＯＦＦすることになる。これによってコレクタ側の出力は、プルアップ抵抗３３を介し、高インピーダンス状態となる。しかし、接続部２４および接続部２８が接続された状態では、給気装置１７の出力端子３４は単独の場合は高インピーダンス状態であるが、接続部２４に接続されることによって、ＧＮＤが共通となり、ｎｐｎトランジスタ３２がＯＮしているため、出力端子３４はｎｐｎトランジスタ３２を介してＧＮＤに接地されることになるため、接続部２４に接続された場合には接続部２８は低インピーダンスとなる。これによって自然換気と機械換気の運転状態が混在している場合であっても接続部２４および接続部２８は低インピーダンス状態を優先させることができるため、屋内外の温度差からどちらか一方が機械換気、もう他方が自然換気と判断した場合でも、接続部２４および接続部２８を接続することによって機械換気の動作を優先させて同期動作を行うことができるため、換気のバランスをくずすことなく意図した換気量を確保できる換気システムを得ることができる。
【００４８】
次に屋内外の温度差が居室空間２および居室空間３の両方において閾値温度Ｔを上回っている場合について説明する。給気装置１６は、設置されている屋内温度センサー２０、屋外温度センサー２１の結果から判断手段２２は、運転条件を自然換気と判断し、前記判断手段によって判断された運転状態を状態出力部２３から電気信号として例えば自然換気信号をＬＯＷ信号として出力する。そうするとｎｐｎトランジスタ３２のベースには電流は流れず、コレクタ−エミッタ間はＯＦＦすることになる。これによってコレクタ側の出力は、プルアップ抵抗３３を介し、高インピーダンス状態となる。上記の動作は、給気装置１７でも同様な状態となっており、接続部２４および接続部２８は高インピーダンス状態となる。ここで接続部２４および接続部２８を接続した場合には、出力端子３１および出力端子３４は両方とも高インピーダンスであるためそれぞれの信号入力部２５、および信号入力部２９にはＨＩＧＨ信号が入力されることになる。すなわち、状態出力部２３と状態出力部２７の運転状態から接続部２４および接続部２８は、自然換気を運転指令として信号入力部２５および信号入力部２９へ伝達する。
【００４９】
制御部２６において例えば信号入力部２５から入力された信号がＨＩＧＨ信号の場合に自然換気の動作となるように対応させておけば、給気装置１６と給気装置１７は、接続部２４と接続部２８が接続された場合に屋内外の温度差Ｔａが閾値温度Ｔを上回っている場合、すなわち二つの給気装置が自然換気の運転条件となった場合にのみ二つの給気装置は自然換気の運転をすることができる。つまり、二つの給気装置が両方とも自然換気の条件を満たさない場合は、状態出力部２３と状態出力部２７の運転状態から接続部２４および接続部２８は、自然換気に対して機械換気を優先にした運転指令として信号入力部２５および信号入力部２９へ伝達する。そして、二つの給気装置は機械換気運転となる。
【００５０】
以上の動作をすることにより、給気装置１６および給気装置１７は接続部２４と接続部２８を接続することにより連動して動作することができ、屋外から床下空間を通じて１階と２階の居室空間に前記給気風路５を通じて床下の空気を給気する二つの給気装置１６、給気装置１７を備えて給気する場合、機械換気と自然換気が混在しないように給気装置１６および給気装置１７の動作を同じにすることができ、換気量のバランスをくずすことなく換気を行うことができるという効果を得ることができる。
【００５１】
また、それぞれの給気装置の運転条件が温度センサーのバラつきや設置された居室空間のわずかな温度差によって運転条件が機械換気と自然換気と混在した場合に、屋内外の温度差が自然換気の運転条件に満たない部屋があった場合には、自然換気とすると換気量が足りない可能性があるため、運転条件が混在している場合には機械換気を優先しその部屋の換気量を確実に確保できる換気システムが得られる。
【００５２】
なお、本実施の形態では、同じ建屋内に設置された同一の給気装置が２台の場合について説明をしてきだが、上記の構成とした場合には複数台設置して接続した場合でも同様に、接続された給気装置は連動して機械換気および自然換気を行えるものである。
【産業上の利用可能性】
【００５３】
本発明にかかる換気システムは、屋外の空気を床下空間を通じて建屋内に給気する給気装置を備え、床下から給気した空気を各居室の通気口を通じ建屋内の上部にある排気口から屋外に排気して建屋内の換気を行う前記給気装置は、床下から共通のダクト配管を通じて同じ住宅内の１階および２階の居室空間に２つ以上設置された場合に、機械換気と自然換気の運転状態が混在しないように給気装置の運転条件信号を接続手段にて一つの信号とすることで接続された二つの給気装置を機械換気もしくは自然換気のどちらかの動作にさせるもので、換気量のバランスが乱れることなく、省エネ換気を行うことができ、さらに運転条件が混在していた場合は、機械換気を優先し確実に換気量を確保できるものであるので、一つの部屋に複数台の換気装置を備えて換気を行う換気システムにおいても換気のバランスをとるということに活用できる。
【符号の説明】
【００５４】
１  住宅
２  居室空間
３  居室空間
４  床下空間
５  給気風路
６、７  通気孔
８  天井
９、１０通気孔
１１  小屋裏
１２  通気孔
１３  排気口
１４  通風路
１５  通風路
１６、１７  給気装置
１８  ファン
１９  モーター
２０  屋内温度センサー
２１  屋外温度センサー
２２  判断手段
２３  状態出力部
２４  接続部
２５  信号入力部
２６  制御部
２７  状態出力部
２８  接続部
２９  信号入力部
３０  入力端子
３１  出力端子
３２  ｎｐｎトランジスタ
３３  プルアップ抵抗
３４  出力端子
【図１】
0005899414.tif 000002
【図２】
0005899414.tif 000003
【図３】
0005899414.tif 000004
【図４】
0005899414.tif 000005
【図５】
0005899414.tif 000006
【図６】
0005899414.tif 000007